(57)【要約】【課題】ＰＣＢ付着物の溶断サイズに応じた最大捕集力を実現することが可能な集塵装置及び集塵方法を提供する。【解決手段】ＰＣＢ付着物の溶断時に発生するＰＣＢ蒸気、ヒューム、及びスパッタを捕捉する集塵装置１０であって、上面に設けられた開口部１２を介してＰＣＢ蒸気、ヒューム、及びスパッタを内部に取り込む集塵容器１１と、ＰＣＢ蒸気、ヒューム、及びスパッタを集塵容器１１内に吸引する吸引設備１７とを備え、開口部１２に、該開口部１２を開閉するルーバー１３が設置され、ルーバー１３を構成する複数のルーバープレート１４のそれぞれが独立して回動可能とされている。【選択図】図１
2020089856.tif 000002
【特許請求の範囲】
【請求項１】
ＰＣＢ付着物の溶断時に発生するＰＣＢ蒸気、ヒューム、及びスパッタを捕捉する集塵装置であって、
上面に設けられた開口部を介して前記ＰＣＢ蒸気、ヒューム、及びスパッタを内部に取り込む集塵容器と、前記ＰＣＢ蒸気、ヒューム、及びスパッタを前記集塵容器内に吸引する吸引設備とを備え、
前記開口部に、該開口部を開閉するルーバーが設置され、前記ルーバーを構成する複数のルーバープレートのそれぞれが独立して回動可能とされていることを特徴とする集塵装置。
【請求項２】
請求項１記載の集塵装置において、前記集塵容器内に取り込まれたスパッタを捕捉する金網が前記集塵容器内に配置されると共に、前記金網に捕捉されずに下方に飛散したスパッタを冷却する冷却水が前記集塵容器の底部に張られていることを特徴とする集塵装置。
【請求項３】
請求項１又は２記載の集塵装置において、前記ＰＣＢ付着物が載置される荷受台が前記集塵容器を挟んで両サイドに配置されていることを特徴とする集塵装置。
【請求項４】
請求項３記載の集塵装置において、前記集塵容器及び前記荷受台を覆うことができる開閉フードを備えていることを特徴とする集塵装置。
【請求項５】
ＰＣＢ付着物の溶断時に発生するＰＣＢ蒸気、ヒューム、及びスパッタを、請求項４記載の集塵装置を用いて捕捉する方法であって、
前記ＰＣＢ付着物を前記荷受台に載置した後、前記集塵容器及び前記荷受台を前記開閉フードで覆う工程と、
前記ＰＣＢ付着物の直下及びその近傍のみ前記ルーバープレートを開いた状態とする工程と、
前記吸引設備を作動させ、前記ＰＣＢ蒸気、ヒューム、及びスパッタを前記集塵容器内に吸引しながら、溶断装置により前記ＰＣＢ付着物を溶断する工程とを備えることを特徴とする集塵方法。
【発明の詳細な説明】
【技術分野】
【０００１】
本発明は、ＰＣＢ付着物の溶断時に発生するＰＣＢ蒸気、ヒューム、及びスパッタを捕捉する集塵装置及び集塵方法に関する。
【背景技術】
【０００２】
ＰＣＢ（ポリ塩化ビフェニル）が付着しているＰＣＢ付着物は、付着しているＰＣＢの濃度が５０００ｐｐｍ以下であれば、無害化処理施設において無害化処理を行うことができるが、無害化処理施設の受入条件を満足するサイズとしなければならない。そのため、ＰＣＢ付着物を、収集運搬用の漏れ防止型金属容器（２ｍ角程度）に収納できるサイズに切断する必要がある。
【０００３】
ＰＣＢ付着物の溶断作業では、溶断時に発生するＰＣＢ蒸気及びヒューム（粉塵）、及びスパッタの拡散を防止しなければならない。そこで、例えば特許文献１では、床面上に間隔をあけて配置され、溶断すべきワークが搭載される複数の架台と、架台間に設置され、ガス溶断の燃焼炎によって下方に飛散した溶断滓を受けて冷却する複数の水槽と、吸引口が各水槽の上側に設けられた吸引ダクトと、ガス溶断による溶断煙を吸引口から吸引ダクト内に吸引させる吸引設備と、吸引ダクトに吸引した溶断煙から浮遊粒子を捕獲する集塵機とを備えた集煙装置が開示されている。
【先行技術文献】
【特許文献】
【０００４】
【特許文献１】特開２０１１−２２４６１６号公報
【発明の概要】
【発明が解決しようとする課題】
【０００５】
しかしながら、特許文献１記載の集煙装置の場合、吸引口の開口面積が一定であるため、吸引風速（力）は常に一定であり、ワークの溶断サイズに応じて吸引風速（力）を最大化して捕集力を高めることができない。そのため、溶断滓が大気中に拡散するおそれがある。
【０００６】
本発明はかかる事情に鑑みてなされたもので、ＰＣＢ付着物の溶断サイズに応じた最大捕集力を実現することが可能な集塵装置及び集塵方法を提供することを目的とする。
【課題を解決するための手段】
【０００７】
上記目的を達成するため、第１の発明は、ＰＣＢ付着物の溶断時に発生するＰＣＢ蒸気、ヒューム、及びスパッタを捕捉する集塵装置であって、
上面に設けられた開口部を介して前記ＰＣＢ蒸気、ヒューム、及びスパッタを内部に取り込む集塵容器と、前記ＰＣＢ蒸気、ヒューム、及びスパッタを前記集塵容器内に吸引する吸引設備とを備え、
前記開口部に、該開口部を開閉するルーバーが設置され、前記ルーバーを構成する複数のルーバープレートのそれぞれが独立して回動可能とされていることを特徴としている。
【０００８】
本発明では、集塵容器の開口部に設置したルーバーを構成する複数のルーバープレートがそれぞれ独立して回動可能とされているので、ＰＣＢ付着物の直下及びその近傍のみルーバープレートを開いた状態として開口部の開口面積を必要最小限とすることにより、開口部における吸引風速（力）を最大化して捕集力を高めることができる。
【０００９】
また、第１の発明に係る集塵装置では、前記集塵容器内に取り込まれたスパッタを捕捉する金網が前記集塵容器内に配置されると共に、前記金網に捕捉されずに下方に飛散したスパッタを冷却する冷却水が前記集塵容器の底部に張られていることを好適とする。
【００１０】
当該構成によれば、集塵容器内に配置した金網と集塵容器底部に張った冷却水によりスパッタを確実に捕捉することができるので、吸引設備に設置されているフィルタがスパッタによって焼損したり目詰まりを起こしたりすることがない。
【００１１】
また、第１の発明に係る集塵装置では、前記ＰＣＢ付着物が載置される荷受台が前記集塵容器を挟んで両サイドに配置されていることを好適とする。
【００１２】
集塵容器を挟んで両サイドに配置されている荷受台の上にＰＣＢ付着物を載置し、集塵容器の開口部上でＰＣＢ付着物を溶断する。溶断時に発生するＰＣＢ蒸気、ヒューム、及びスパッタは開口部から集塵容器内に取り込まれる。
【００１３】
また、第１の発明に係る集塵装置では、前記集塵容器及び前記荷受台を覆うことができる開閉フードを備えていることを好適とする。
【００１４】
集塵容器及び荷受台を開閉フードで覆うことにより、ＰＣＢ蒸気、ヒューム、及びスパッタを吸引する気流が外乱によって阻害されないようにすることができる。
【００１５】
また、第２の発明は、ＰＣＢ付着物の溶断時に発生するＰＣＢ蒸気、ヒューム、及びスパッタを、第１の発明に係る集塵装置を用いて捕捉する方法であって、以下の工程を備えることを特徴としている。
（１）前記ＰＣＢ付着物を前記荷受台に載置した後、前記集塵容器及び前記荷受台を前記開閉フードで覆う工程
（２）前記ＰＣＢ付着物の直下及びその近傍のみ前記ルーバープレートを開いた状態とする工程
（３）前記吸引設備を作動させ、前記ＰＣＢ蒸気、ヒューム、及びスパッタを前記集塵容器内に吸引しながら、溶断装置により前記ＰＣＢ付着物を溶断する工程
【発明の効果】
【００１６】
本発明では、集塵容器の開口部に設置したルーバーを構成する複数のルーバープレートがそれぞれ独立して回動可能とされているので、ＰＣＢ付着物の溶断サイズに応じて開口部の開口面積を必要最小限に調整することにより、開口部の吸引風速を最大化することができる。即ち、ＰＣＢ付着物の溶断サイズに応じた最大捕集力を実現することができる。その結果、ＰＣＢ蒸気、ヒューム、及びスパッタが大気中に拡散するおそれがない。
【図面の簡単な説明】
【００１７】
【図１】本発明の一実施の形態に係る集塵装置の平面図である。
【図２】同集塵装置の側断面図である。
【図３】ルーバープレートの開閉機構を示した模式図である。
【図４】ＰＣＢ付着物溶断時における同集塵装置の平面図である。
【図５】ＰＣＢ付着物溶断時における同集塵装置の側断面図である。
【発明を実施するための形態】
【００１８】
続いて、添付した図面を参照しつつ、本発明を具体化した実施の形態について説明し、本発明の理解に供する。
【００１９】
本発明の一実施の形態に係る集塵装置１０を図１及び図２に示す。
本実施の形態に係る集塵装置１０は、ＰＣＢ付着物を溶断した際に発生するＰＣＢ蒸気、ヒューム、及びスパッタを内部に取り込む集塵容器１１と、それら発生物を集塵容器１１内に吸引する吸引設備１７と、ＰＣＢ付着物が載置される荷受台２４と、集塵容器１１及び荷受台２４を覆う開閉フード２５とを備えている。
【００２０】
集塵容器１１は概略直方体形状とされ、集塵容器１１上面の短辺方向中央部には、集塵容器１１の長辺方向の一端から他端まで延びる帯状の開口部１２が形成されている。ＰＣＢ蒸気、ヒューム、及びスパッタは開口部１２を介して集塵容器１１内に取り込まれる。
【００２１】
集塵容器１１の開口部１２には、開口部１２を開閉するためのルーバー１３が設置されている。ルーバー１３は、矩形状の板材からなる複数のルーバープレート１４が集塵容器１１の長辺方向に連続して配置された構成とされている。各ルーバープレート１４は独立して回動可能とされ、開口部１２を部分的に開閉することができる。即ち、ルーバープレート１４が水平のとき、開口部１２は当該ルーバープレート１４によって一部閉じた状態となり、ルーバープレート１４が鉛直のとき、開口部１２は当該ルーバープレート１４によって一部開いた状態となる。因って、一部のルーバープレート１４が開き、他のルーバープレート１４が閉じた状態とすることにより、開口部１２の開口面積を変更することができる。
【００２２】
図３は、ルーバープレート１４の開閉機構を示した模式図である。
各ルーバープレート１４は、集塵容器１１の短辺方向に配置された回転軸２６を支点として鉛直面内で回動する。各ルーバープレート１４の回動先端部には、集塵容器１１の短辺方向に配置された操作棒１５の一端部が連結されている。操作棒１５の他端部は、集塵容器１１の一方の長辺側側壁２９に形成された円弧状の溝２８から外方に突出しており、操作棒１５の突出部位には、作業者が把持する取っ手１６が取り付けられている。
【００２３】
操作棒１５は円弧状の溝２８に沿って鉛直面内で移動させることができる。操作棒１５が溝２８の上端に位置するときルーバープレート１４は水平となり、開口部１２が一部閉じた状態となる。また、操作棒１５が溝２８の下端に位置するときルーバープレート１４は鉛直となり、開口部１２が一部開いた状態となる。溝２８の上端部付近には、溝２８の上端に位置する操作棒１５を保持するためのラッチ２７が取り付けられている。
なお、集塵容器１１に取り込まれたＰＣＢ蒸気、ヒューム、及びスパッタが溝２８から大気中に漏れ出ないように、操作棒１５が貫通する切り込みが幅方向中央部に形成されたシリコーン製のシール部材３０が溝２８の内側に取り付けられている。
【００２４】
集塵容器１１の内部には、集塵容器１１内に取り込まれたスパッタを捕捉する金網２２が集塵容器１１の長辺方向に間隔をあけて集塵容器１１の短辺方向に配置されている。また、集塵容器１１の底部には、金網２２に捕捉されず下方に飛散したスパッタを冷却する冷却水２３が張られている。
【００２５】
吸引設備１７は、ＰＣＢ蒸気、ヒューム、及びスパッタを吸引するブロワ２１と、集塵容器１１とブロワ２１を接続する連結ホース１８と、連結ホース１８の途中に設置され、ＰＣＢ蒸気中のＰＣＢ粒子及びヒュームを捕捉するフィルター２０と、ブロワ２１に接続され、フィルター２０によってＰＣＢ粒子及びヒュームが除去された排気を大気中に放出する排気ホース１９とを備えている。
【００２６】
荷受台２４は、集塵容器１１を挟んで集塵容器１１の短辺方向両サイドに設置されている。各荷受台２４の長さは集塵容器１１の長辺方向長さと同じである。荷受台２４の高さは、ＰＣＢ付着物溶断時のプラズマアークがルーバー１３に及ばない高さとされている。
【００２７】
開閉フード２５は、集塵容器１１の長手方向に伸縮可能な蛇腹式とされている。開閉フード２５の一端を固定して他端を伸張させることにより、集塵容器１１及び荷受台２４を覆う。
【００２８】
次に、ＰＣＢ付着物３１の溶断時に発生するＰＣＢ蒸気、ヒューム、及びスパッタを、集塵装置１０により捕捉する方法について、図４及び図５を用いて説明する。なお、図４の開口部１２に記載した斜めの線（×印）は、当該部位が開いていることを示している。
［ＳＴＥＰ−１］
開閉フード２５を縮めて集塵容器１１及び荷受台２４を露出させ、クレーン（図示省略）を用いてＰＣＢ付着物３１を荷受台２４上に載置する（図４参照）。その際、溶断位置が集塵容器１１の開口部１２の真上にくるようにする。そして、開閉フード２５を伸張させ、集塵容器１１及び荷受台２４を開閉フード２５で覆う。
【００２９】
［ＳＴＥＰ−２］
操作棒１５を操作して、ＰＣＢ付着物３１の直下及びその近傍のみルーバープレート１４を開いた状態とすることにより、開口部１２における吸引風速（力）を最大化して捕集力を高める（図４参照）。具体的には、全てのルーバープレート１４のセットポジションを開いた状態としておき、ＰＣＢ付着物３１の直下及びその近傍以外のルーバープレート１４が閉じた状態となるよう操作棒１５を操作してもよいし、あるいは、全てのルーバープレート１４のセットポジションを閉じた状態としておき、ＰＣＢ付着物３１の直下及びその近傍のルーバープレート１４のみ開いた状態となるよう操作棒１５を操作してもよい。
【００３０】
［ＳＴＥＰ−３］
ブロワ２１を作動させ、ＰＣＢ蒸気、ヒューム、及びスパッタを開口部１２を介して集塵容器１１内に吸引しながら、溶断装置によりＰＣＢ付着物を溶断する（図５参照）。
溶断箇所を溶断する溶断装置は、トーチ３２及びプラズマ発生装置（図示省略）から構成されるプラズマ切断機を使用するが、これに限定されるものではなく、レーザー切断機やガス切断機など他の溶断装置を使用してもよい。
【００３１】
以上、本発明の一実施の形態について説明してきたが、本発明は何ら上記した実施の形態に記載の構成に限定されるものではなく、特許請求の範囲に記載されている事項の範囲内で考えられるその他の実施の形態や変形例も含むものである。例えば、上記実施の形態では、ルーバープレートの先端部に取り付けられて側方に延びる操作棒を円弧状に移動させることにより当該ルーバープレートを開閉させているが、これに限るものではなく、例えばルーバープレートの基端部を支持する回転軸を回動させるなど他の機構でもよい。
【符号の説明】
【００３２】
１０：集塵装置、１１：集塵容器、１２：開口部、１３：ルーバー、１４：ルーバープレート、１５：操作棒、１６：取っ手、１７：吸引設備、１８：連結ホース、１９：排気ホース、２０：フィルター、２１：ブロワ、２２：金網、２３：冷却水、２４：荷受台、２５：開閉フード、２６：回転軸、２７：ラッチ、２８：溝、２９：長辺側側壁、３０：シール部材、３１：ＰＣＢ付着物、３２：トーチ
【図１】
2020089856.tif 000003
【図２】
2020089856.tif 000004
【図３】
2020089856.tif 000005
【図４】
2020089856.tif 000006
【図５】
2020089856.tif 000007